(57)【要約】【課題】  ウッドチップの腐敗により舗装材を自然に戻すことを前提とし、クラック、反り等のない見栄えのよい舗装面を形成すること。【解決手段】  ウッドチップブロック１２を敷設する路盤面３は、粘土(ねばつち)及びすさ（と・寸莎）を混練して、所定の厚みの粘土層４に展延したものであるから、雨水が浸透し難く、雨水がその表面を流れるから、ウッドチップが雨水中に没することがなくなり、ウッドチップが水分を吸収して膨張する確率が低くなる。逆に、乾燥する天候が続いても、粘土及びすさを混練してなる粘土層４の表面の湿度によって、湿度が適当に保持されるから、乾燥状態にならず、ウッドチップブロックにクラック、反り等が生じない。【選択図】    図１
2005207117.tif 000002
【特許請求の範囲】
【請求項１】
舗装領域の少なくとも幅方向を画定し、路床側に固定された縁部材と、木材の成分をチップとしたウッドチップと前記ウッドチップ相互間を接合するバインダとを主材料として混練して所定のサイズに成形してなるウッドチップブロックによって舗装するウッドチップ舗装において、
前記ウッドチップブロックは、粘土（ねばつち）及びすさ（と・寸莎）を混練して、所定の厚みの層に展延し、当該所定の厚みの層からなる粘土（ねばつち）層の上面側に敷設してなることを特徴とするウッドチップ舗装。
【請求項２】
前記粘土及びすさを混練して、所定の厚みの層に展延した粘土（ねばつち）層には、その層の上面から下面まで貫通する複数の貫通孔を設けたことを特徴とする請求項１に記載のウッドチップ舗装。
【請求項３】
前記粘土及びすさを混練して、所定の厚みの層に展延した粘土（ねばつち）層の粘土（ねばつち）表面には、雨水を排出する上部に開口する開口溝を形成したことを特徴とする請求項１に記載のウッドチップ舗装。
【請求項４】
前記すさは、稲わらまたは薄（すすき）、萱(かや)、葦のいずれか１以上としたことを特徴とする請求項１乃至請求項３の何れか１つに記載のウッドチップ舗装。
【請求項５】
前記縁部材は、粘土（ねばつち）及びすさ（と・寸莎）を混練して形成した所定の厚みの粘土（ねばつち）層を、舗装領域の幅方向及び／またはその幅方向に直角な長さ方向を画定することを特徴とする請求項１乃至請求項４の何れか１つに記載のウッドチップ舗装。
【請求項６】
前記ウッドチップブロックは、下面よりも上面の面積を広くしたことを特徴とする請求項１乃至請求項５の何れか１つに記載のウッドチップ舗装。
【請求項７】
前記縁部材には、排水手段を形成したことを特徴とする請求項１乃至請求項６の何れか１つに記載のウッドチップ舗装。
【発明の詳細な説明】
【技術分野】
【０００１】
本発明は、間伐材、建築廃材、根株、枝条、木皮等の木材をチップとしたウッドチップと、それらのウッドチップ相互間を接合するバインダとを主材料として混練してなるウッドチップブロックによって舗装するウッドチップ舗装に関するものである。
【背景技術】
【０００２】
従来のウッドチップ舗装は、ウッドチップをバインダと混練して路盤面に敷き詰め、固化させて遊歩道、ジョギング道路等で利用されている。このウッドチップ舗装は、木質独特の風合いを有するだけでなく、間伐材や建築廃材等を有効に利用することができ、かつ、ウッドチップの腐敗により舗装材を自然に戻せるという利点がある。
【０００３】
これに対し、特開平１１−６１７１４号公報では、ウッドチップとバインダ樹脂とを混練してなる舗装材においては、ウッドチップが水分を含んでおり、その水分量が一定しないため、バインダの正常な硬化反応が阻害され、その結果、得られた舗装面も均質な強度が確保し難いという問題があったこと。また、混練したバインダの一部がウッドチップに吸収されるためにバインダとしての効率が低下するということも起こりがちであったこと。更に、舗装後にウッドチップに含まれていた水分が蒸発乾燥する際に大きな収縮力が発生し、これに起因する舗装面の反り、クラックや隙間の発生等の不具合が避けられなかったこと等を解消し、水分を含んだウッドチップを用いても、バインダが効率よくウッドチップの表面に分散し、かつ、支障なく硬化して、隙間、クラック、反り等のない舗装面を形成する舗装方法を提供している。
【０００４】
具体的には、水に難溶で、弾性バインダ樹脂に可溶な油類、可塑剤、高級アルコール、脂肪酸及びノニオン界面活性剤から選ばれた少なくとも１種の難揮発性液状物質で処理したウッドチップと弾性バインダ樹脂を含む舗装材を路盤面上に敷き詰めて硬化させる方法であり、ウッドチップと弾性バインダ樹脂を混練する際にウッドチップを水に難溶性で弾性バインダ樹脂に可溶な難揮発性液状物質で処理すると、舗装の作業性が著しく改善でき、安定した機械強度が得られ、かつ、隙間、クラック、反りの起こり難い舗装面の形成が可能となった。
【特許文献１】特開平１１−６１７１４号公報
【特許文献２】特開２０００−１２００１１号公報
【特許文献３】特開２００３−３４９０４号公報
【発明の開示】
【発明が解決しようとする課題】
【０００５】
前述した従来のウッドチップ舗装においては、ウッドチップの腐敗により舗装材を自然に戻すことを前提とし、舗装材を改良しているが、舗装材をどれだけ改良しても、路盤がアスファルトまたはコンクリート、からねりモルタルの使用により、路盤と舗装材とが一体化できない使用状態を前提としているため、再度の施工の際には、舗装材の完全な剥離を行った上、新規な舗装材によって再施工を行い、かつ、剥離した舗装材は、別の場所で腐敗を進行させる必要があった。
【０００６】
そこで、ウッドチップの腐敗により舗装材を自然に戻すことを前提とする施工方法として、路盤の路盤面に砂を敷き、それを緩衝材とし、そこにウッドチップを主材料とした平板ブロックを敷設したウッドチップ舗装を行ったものもあった。しかし、目地から流入する雨水の流れに沿って砂が移動し、平板ブロックの下に空洞を形成し、その平板ブロックのガタツキが生じたり、或いはその平板ブロックが折れたりする可能性があり、からねりモルタルを使用せざるを得なかった。
【０００７】
そこで、本発明は、ウッドチップの腐敗により舗装材を自然に戻すことを前提とし、クラック、反り等のない見栄えのよい舗装面を形成するウッドチップ舗装の提供を課題とするものである。
【課題を解決するための手段】
【０００８】
請求項１にかかるウッドチップ舗装は、舗装領域の少なくとも幅方向を画定し、前記路床側に固定された縁部材と、木材をチップとしたウッドチップと前記ウッドチップ相互間を接合するバインダとを主材料として混練して所定のサイズに成形してなるウッドチップブロックによって舗装するウッドチップ舗装において、前記ウッドチップブロック側の面は、粘土(ねばつち、以下、格別、『粘土（ねんど）』と記載しない限り、『粘土（ねんど）』を含む概念の『粘土(ねばつち)』と読むこととする。)及びすさ（と・寸莎）を混練して、所定の厚みの層に展延し、当該所定の厚みの層からなる粘土層の上面としたものである。
【０００９】
したがって、ウッドチップブロックを敷設する面は、粘土及びすさを混練して、所定の厚みの粘土層として展延したものであるから、粘土層はその表面に限らず、全体の結合が密であり、雨水が浸透し難く、雨水がその粘土表面を流れるから、ウッドチップブロックが雨水中に没することがなくなり、ウッドチップブロックが水分を吸収して膨張する可能性が低くなる。逆に、乾燥する天候が続いても、粘土及びすさを混練してなる粘土層の湿度によって、ウッドチップブロックの湿度が適当に保持されるから、乾燥状態にならず、ウッドチップブロックにクラック、反り等が生じない。
【００１０】
ここで、本発明のウッドチップとは、間伐材、建築廃材、根株、枝条、木皮等の木材の成分をチップとしたものであればよい。また、バインダは公知の合成樹脂または蛋白質、生分解合成樹脂、消石灰、無機材料等の使用が可能である。そして、路床に固定した縁部材は、一般には、木材が使用されるが、石材、レンガ、コンクリート、コンクリートブロック、磁器、陶器、金属等が使用できる。この縁部材は、路床の舗装領域の少なくとも幅方向及び／または必要に応じてその直角方向を画定するものである。通常、路床の道路の長さ方向(幅方向に対して直角方向)については、目地で区画されるが、本発明の縁部材を用いて画定してもよい。更に、前記すさは、市販のすさは勿論のこと、稲わら、薄（すすき）、萱(かや)、葦等の単子葉植物を５〜１０ｃｍ程度の長さに切断したものを使用するが、本発明を実施する場合には、植物繊維を繋ぎに使用できる繊維成分が強いものであれば、裁断した樹木（木綿）、裁断した樹皮の使用も可能であり、生地等の布の使用も可能である。更にまた、粘土は、粘土（ねんど）質の土に限定されるものではなく、一般的には壁土として使用可能な土が使用でき、その粘性が高いものであればよい。例えば、陶土の絞りカスでも良好な結果を得た。発明者等の実験によれば、殆んどの田畑及び山土が使用可能であるが、土とすさを捏ねた状態で数日以上、好ましくは、作業効率から２０〜３０日間以上寝させておけば、田畑及び山土が良好に使用可能となる。本発明を実施する場合には、前記粘土の粘性を高めるために、消石灰等のバインダを混入してもよい。或いは、粘性の高い土を混入してもよい。逆に、粘性が高い場合には、他の鉱物、例えば、瓦、陶器等の破砕材を混入してもよい。通常、粘土及びすさを混練してなる粘土層の厚みは、２〜１５ｃｍ程度に設置され、好ましくは、４〜８ｃｍ程度に設置される。再施工の場合には、それまでの路盤によって、非常に厚くなる場合、逆に、薄くなる場合がある。
【００１１】
なお、本発明において、前記路床側に固定された縁部材の所定の高さは、正確に舗装面の上面以上を特定するものではなく、その使用環境によって、仕上面精度及び経年変化によって５〜１０ｍｍ程度の変化は当然に生じるものであり、通常、前記縁部材の舗装面と略同一の高さとされる場合が多いが、この場合でも、気象条件、環境条件等によって、縁部材よりも±５〜１０ｍｍ程度変化する。
【００１２】
請求項２にかかるウッドチップ舗装の前記粘土は、その粘性が高いものであるから、前記粘土の結合力が強固になり、ウッドチップブロックとの接合力及び雨水の流れに対する抵抗力が大きく、安定した施工状態が維持できる。そこで、所定の厚みの粘土層に、その層を貫通する貫通孔を設けたものであるから、粘土層表面の雨水が効率よく、下方に流れることができる。
【００１３】
請求項３にかかるウッドチップ舗装の前記粘土は、その粘性が高いものであるから、前記粘土の結合力が強固になり、ウッドチップブロックとの接合力及び雨水の流れに起因する侵食に対する抵抗力が大きく、安定した施工状態が維持できる。そこで、所定の厚みの粘土層に、その層の上面を雨水が流れるように、上部に開口する開口溝を形成し、粘土層表面の水はけをよくしたものである。
【００１４】
請求項４にかかるウッドチップ舗装の前記すさは、稲わらまたは薄、萱、葦のいずれか１以上としたものであるから、それらの繊維が前記粘土の粘性及び結合力を増し、強靭な粘度となる。特に、稲わらまたは薄、萱、葦等は、その長さ方向に対して垂直方向の押圧力を加えて押し潰してあると、引張り方向及び曲げ方向に強靭な繊維強度となる。特に、薄、萱等の使用は、稲わらに比較して農薬等により環境ホルモンの検出値が小さいので好適である。
【００１５】
請求項５にかかるウッドチップ舗装の前記縁部材は、舗装領域の幅方向及び／またはその幅方向に直角な長さ方向を画定するものであるから、前記縁部材で形成された所定の枠内を堅固にウッドチップ舗装することができ、その幅方向及び／または長さ方向に拘束されているから、安定した強度が得られる。
【００１６】
請求項６にかかるウッドチップ舗装の前記ウッドチップブロックは、下面よりも上面の面積を大きくしたものであり、前記ウッドチップブロック相互間を接合して配置した場合でも、下面側に両者間の間隙による溝が形成され、それが雨水の通路となって水はけがよくなる。また、ウッドチップブロックのウッドチップが水分を吸収して膨張しても、それらの隙間によってその膨張を吸収するから、ウッドチップブロックによる舗装面に水分吸収による浮き上がり等の見栄えの低下が生じない。そして、ウッドチップが雨水中に没しないから、水分を吸収して膨張する割合が低い。逆に、乾燥する天候が続いても、粘土及びすさを混練してなる層の表面の湿度によって、乾燥状態にならないから、ウッドチップブロックにクラック等が入るのが防止できる。また、施工時に上面に与えた単位面積あたりの外力が大きくなって伝わるから、施工が容易である。
【００１７】
請求項７にかかるウッドチップ舗装の前記路床側に固定された縁部材には、排水手段を形成するものであるから、粘土及びすさを混練してなる粘土層の粘土表面を雨水が流れ、その層の厚み方向には浸透し難いから、縁部材の排水手段を通って容易に排水が行われる。なお、排水手段は、縁部材に設けた貫通孔または溝等の雨水の通過できる通路であればよい。
【発明の効果】
【００１８】
請求項１にかかるウッドチップブロックによって舗装するウッドチップ舗装は、前記ウッドチップブロックの敷設面を、粘土及びすさを混練して、所定の厚みの層に展延し、当該所定の厚みの層の上面としたものである。
【００１９】
したがって、ウッドチップブロックを設置する粘土表面は、粘土及びすさを混練して、所定の厚みの層に展延した粘土層で形成したものであるから、粘土層の結合力が大きく、雨水が浸透し難く、雨水によって粘土が流出することなく、雨水はその表面を流れるから、ウッドチップブロックが雨水中に没することがなくなり、ウッドチップブロックが水分を吸収して膨張する確立が低い。逆に、乾燥する天候が続いても、粘土及びすさを混練してなる粘土層の湿度によって、湿度が適当に保持されるから、乾燥状態にならず、ウッドチップブロックにクラック、反り等が生じない。
【００２０】
更に、前記路床側に粘土及びすさを混練して所定の厚みの粘土表面を形成しているから、粘土及びすさを混練してなる粘土層が堅固な結合状態となり、その上面にウッドチップブロックを敷設するものであるから、ウッドチップブロックを通過した通常の雨水は、粘土及びすさを混練してなる粘土層の表面を流れ、粘土層の表面に水がたまらないので、粘土表面に敷設したウッドチップブロックの膨張・収縮によるクラック、反り等が生じず、見栄えがよくなる。仮に、急激に多量の雨が降っても、前記粘土表面が高い粘性により堅固に結合しているから、前記ウッドチップブロックの隙間から浸入した雨水の流れによっても侵食されない。また、ウッドチップ舗装の施工の際には、前記路床側の粘土表面が硬化する前に施工すれば、前記粘土層の粘土及びすさが前記ウッドチップブロックのチップ相互間の隙間に侵入して硬化するから、前記粘土表面から前記ウッドチップブロックが容易に剥離され難くなり、かつ、面方向の移動を拘束するから、安定した施工状態が維持される。そして、前記ウッドチップブロックが朽ちた場合には、腐敗が進行しているウッドチップを剥離した粘土及びすさと共に混練し、それを再度粘土層として形成することができる。具体的には、前記ウッドチップブロックを適当に剥離し、トラクター等で粘土及びすさと共に水を散布しながら混練して、粘土及びすさを再使用することができる。このとき、ウッドチップの混入は殆ど影響がない。
【００２１】
よって、ウッドチップの腐敗により舗装材を自然に戻すことを前提とし、クラック、反り等のない見栄えのよい舗装面を形成することができる。
【００２２】
請求項２にかかるウッドチップ舗装は、所定の厚みの粘土層に、その層を貫通する貫通孔を設けたものである。したがって、請求項１の効果に加えて、前記粘土の結合力が強固であるから、雨水の流れに起因する侵食に対する抵抗力が大きく、安定した施工状態が維持できる。また、所定の厚みの粘土層に、その粘土層を貫通する貫通孔を設けたものであるから、粘土表面の雨水が効率よく、下方に流れることができる。そして、ウッドチップブロックが雨水中に没しないから、ウッドチップブロックにクラック、反り等が生じない。
【００２３】
請求項３にかかるウッドチップ舗装において、前記粘土及びすさを混練して、所定の厚みの層に展延し、当該所定の厚みの層の粘土表面に、雨水を排出する上部に開口する開口溝を形成したものである。したがって、請求項１の効果に加えて、前記粘土の結合力が強固であるから、雨水の流れに起因する侵食に対する抵抗力が大きく、安定した施工状態が維持できる。そして、ウッドチップブロックが雨水中に没しないから、ウッドチップブロックにクラック、反り等が生じない。
【００２４】
請求項４にかかるウッドチップ舗装は、前記すさを稲わらまたは薄、萱、葦のいずれか１以上としたものである。したがって、請求項１乃至請求項３の何れか１つの効果に加えて、稲わら、薄、萱、葦の繊維が前記粘土の粘性及び結合力を増し、強靭な粘度となり、かつ、廉価に多量の入手が可能となる。特に、薄、萱、葦については、農薬の使用がされてないから安全性を高めることができる。
【００２５】
請求項５にかかるウッドチップ舗装は、前記縁部材を舗装領域の幅方向及びその幅方向に直角な長さ方向を画定するものである。したがって、請求項１乃至請求項４の何れか１つの効果に加えて、前記縁部材で形成された所定の枠内を堅固にウッドチップ舗装することができ、その幅方向及び長さ方向に拘束されているから安定した強度が得られる。
【００２６】
請求項６にかかるウッドチップ舗装は、前記ウッドチップブロックを下面よりも上面の面積を大きくしたものである。したがって、請求項１乃至請求項５の何れか１つの効果に加えて、前記ウッドチップブロック相互間を接合して配置した場合でも、下面側に両者間のギャップによる溝が形成され、それが雨水の通路となって水はけがよくなる。また、ウッドチップブロックのウッドチップが水分を吸収して膨張しても、それらのギャップによってその膨張を吸収するから、ウッドチップブロックによる舗装面に水分吸収による浮き上がり等の見栄えの低下が生じない。そして、ウッドチップが雨水中に没しないから、水分を吸収して膨張する割合が低い。逆に、乾燥する天候が続いても、粘土及びすさを混練してなる粘土層の湿度によって、乾燥状態にならないから、ウッドチップブロックにクラック等が入るのが防止できる。即ち、前記ウッドチップブロック並びに粘土及びすさを混練して形成した所定の厚みの粘土層と共に水分含有率を均一化し、粘土及びすさを混練して形成した所定の厚みの粘土層と前記ウッドチップブロックとが異常な乾燥状態及び異常な湿度状態にいたることがないから、前記ウッドチップブロック相互間が形成する両者間の間隙による溝は、均一な湿度となる。
【００２７】
請求項７にかかるウッドチップ舗装は、前記路床側に固定された縁部材に、排水手段を形成するものである。したがって、請求項１乃至請求項６の何れか１つの効果に加えて、粘土及びすさを混練してなる粘土層の表面である粘土表面を雨水が流れ、その層の厚み方向には浸透し難いから、縁部材の排水手段を通って容易に排水が行われる。
【発明を実施するための最良の形態】
【００２８】
次に、本発明のウッドチップ舗装にかかる実施の形態について、図を用いて説明する。図１は本発明の実施の形態１のウッドチップ舗装の全体構成要部断面図（ａ）、要部平面図（ｂ）である。
【００２９】
図１において、クラッシャーラン２は、石砕した小石及び土、土砂等からなり、路盤となるものであり、その上面が路盤面３となる。このクラッシャーラン２は、水はけをよくするために路床１の上に小石及び土、土砂等を盛って形成したものであり、本実施の形態では盛土の形態をとっているが、道路の施工条件によっては地表から下部に位置する場合もある。通常、路床１とクラッシャーラン２の路盤面３は、ロードローラ等で転圧され平坦に整地される。これらの路床１、路盤面３の平坦面に生ずる微小な凹凸の存在は不問である。
【００３０】
クラッシャーラン２の上層には、粘土として荒壁に使用する壁土１００リットルに対して、すさとして５〜１０ｃｍの長さに切断した稲わらからなる稲わらすさ０．６ｋｇ程度を混練して、それを１０日間寝させたものを再度混練し、所定の厚み、即ち、本実施の形態では８ｃｍ程度に展延させた粘土層４としている。寝させる期間は、特性的に好ましくは、２〜３ヶ月が好適であり、このようにすると、稲わらすさの繊維成分以外は腐敗し、安定した強度となる。
【００３１】
長尺の角材からなる縁木１０は、粘土層４の粘土表面５の舗装領域の幅方向を画定し、粘土表面５に敷き詰めたウッドチップブロック１２の舗装面１３に略一致するか或いは舗装面１３の略上面以上の高さを有しており、固定金具１１でクラッシャーラン２及び／または、路床１に固定されるものである。この実施の形態では、縁部材として縁木１０を使用しているが、粘土表面５の舗装領域の幅方向を画定し、粘土表面５上のウッドチップブロック１２の舗装面１３に略一致するか或いは舗装面１３の略上面以上の高さを有し、固定金具１１で道路に固定される縁木１０は、木材に限ることなく、石材、レンガ、コンクリート、コンクリートブロック、金属、陶器、磁器等が使用できる。
【００３２】
ウッドチップブロック１２は、間伐材、建築廃材、根株、枝条、木皮等の木材を切削機械でチップとしたウッドチップと、そのウッドチップ相互間を接合するバインダとを主材料として混練し、所定の形状、例えば、上面正方形の直方体、上面長方形の直方体に成形して硬化させたものであり、このウッドチップブロック１２のバインダとしては、硬化によって、適度な弾性を得る材料が選択される。前記バインダは、公知の合成樹脂または蛋白質、生分解性合成樹脂、無機バインダ等の使用が可能である。しかし、炎天下の道路は、ウッドチップブロック１２が紫外線に照射されるから、紫外線の照射条件、木材の種類等によって具体的バインダ材料が選択される。
【００３３】
このウッドチップブロック１２は、粘土表面５の舗装領域の幅方向(道路幅方向)の両側に配設した縁木１０相互間に敷き詰められて舗装施工される。ウッドチップブロック１２の舗装面１３は、縁木１０の略上面に一致するか或いは縁木１０以下または以上に形成される。ウッドチップブロック１２は正方形平板に限定されるものではなく、任意のモザイク表現の形状が可能である。
【００３４】
舗装面１３はロードローラ等で転圧するものではなく、軽量ローラ等で転圧したり、直接、金槌、木鎚で叩いて、または、部分的に大きな外力が加わらないように板状物を介在させて外力を分散し、間接的に金槌、木鎚で叩いて整地した後、軽量ローラ等で転圧して、できるだけ平坦面に形成される。なお、舗装面１３としては、水はけのために、中央が両側よりも若干高く形成される場合もある。
【００３５】
なお、念のために記載すると、本実施の形態以降において、縁部材としての縁木１０の舗装面１３の略上面以上の高さとは、正確に舗装面１３の上面以上を特定するものではなく、ウッドチップブロック１２の仕上面精度及び経年変化によって、５〜１０ｍｍ程度の変化が当然生じうるものであるから、縁木１０の舗装面１３の略上面以上の高さとは、縁木１０よりも５〜１０ｍｍ程度低いものも含む概念である。
【００３６】
次に、本発明の実施の形態１のウッドチップ舗装の施工について説明する。
【００３７】
まず、舗装する道路の路床１を特定し、そこにクラッシャーラン２の層を形成する。そのクラッシャーラン２の路盤面３は、ロードローラで転圧して略均一平面に形成する。
【００３８】
勿論、クラッシャーラン２の路盤面３には、従来のように、アスファルト、モルタル、からねりモルタル、石灰等を敷くこともできる。しかし、発明者等の実験によれば、アスファルト、モルタル、からねりモルタル、石灰等を敷くことは、再度、施工する場合に粘土層４を剥がし易いのがメリットとなるが、逆に、クラッシャーラン２と粘土層４との一体感が弱くなり、交通量によっては、分離しやすくなるというデメリットもある。
【００３９】
なお、クラッシャーラン２の上層には、粘土層４を形成した方が、クラッシャーラン２の上層の凹凸に粘土層４の下面が入り込み、両者間に安定した機械的強度が得られ、両者間が分離し難くなる。
【００４０】
クラッシャーラン２で形成した路盤面３の両側のみに、粘土として荒壁に使用する壁土及び５〜１０ｃｍの長さに切断した稲わらからなる稲わらすさを混練して、それを１０日間程度寝させたものを再度混練し、所定の厚み、即ち、本実施の形態では７〜８ｃｍ程度に展延させた側部粘土層４ａを形成し、その上面の粘土表面５を水平に施工する。側部粘土層４ａが適当に乾燥したとき、側部粘土層４ａの上面の水平を再度調整する。
【００４１】
次に、クラッシャーラン２で形成した粘土層４の両側の側部粘土層４ａに、長尺の縁木１０を所定の舗装幅の範囲として固定金具１１でクラッシャーラン２及び路床１に固定する。そして、両側の側部粘土層４ａ間に、粘土として荒壁に使用する壁土及び５〜１０ｃｍの長さに切断した稲わらからなる稲わらすさを混練して、それを１０日間程度寝させたものを再度混練し、所定の厚み、即ち、本実施の形態では７〜８ｃｍ程度に展延させた粘土層４を形成する。このとき、両側の側部粘土層４ａと粘土層４は接合されて一体化される。粘土層４の上面の粘土表面５は水平または中央を両側よりも若干高く設定する。中央を両側よりも高くするのは、雨水の水はけをよくするためである。
【００４２】
両側の縁木１０の範囲の粘土層４の粘土表面５が乾燥しない前に、間伐材、建築廃材、根株、枝条、木皮等の木材を切削機械でチップとしたウッドチップと、そのウッドチップ相互間を接合するバインダとを主材料として混練して成形したウッドチップブロック１２を敷き、ローラ等で転圧したり、直接または間接的に金槌、木鎚で叩いて、できるだけ舗装面１３を平坦または若干の湾曲面に形成する。または、ローラ掛けをして全体を均一にし、その後、全体のバランスを直接または間接的に金槌、木鎚で叩いて、舗装面１３を平坦面または若干の湾曲面に修正してもよい。
【００４３】
ここで、ウッドチップブロック１２を粘土層４に敷き、ローラ等で転圧したり、直接または間接的に金槌、木鎚で叩くのは、ウッドチップブロック１２の仮面の凹凸に粘土層４の上面が食い込ませ効果があり、両者間の接合により、安定した接合強度を出すものである。ウッドチップブロック１２の上面角度は任意に設定できる。
【００４４】
なお、発明者らは、側部粘土層４ａと粘土層４として、粘土として荒壁に使用する壁土及び５〜１０ｃｍの長さに切断した稲わらからなる稲わらすさを混練したものを、直接施工したところ、粘土層４に若干クラックが発生する確率が高かったが、ウッドチップブロック１２の施工状態に変化はなかった。
【００４５】
図２は本発明の実施の形態２のウッドチップ舗装の全体構成要部断面図（ａ）、要部平面図（ｂ）である。なお、図中の上記実施の形態１と同一符号または同一記号は、同一または相当する構成部分を示すものであるから、重複する説明を省略し、相違点のみ説明する。
【００４６】
まず、道路の舗装を施工する路床１を形成し、その路床１の両側に長尺の縁木２０を所定の舗装幅の範囲として固定金具１１で路床１に固定する。このとき、縁木２０の上面の水平を正確に出しておく。路床１の両側の縁木２０間に、粘土として荒壁に使用する壁土及び５〜１０ｃｍの長さに切断した稲わらからなる稲わらすさを混練して、それを１０日間程度以上寝させたものを再度混練し、所定の厚み、即ち、本実施の形態では７〜８ｃｍ程度に展延させた粘土層４を形成する。粘土層４の粘土表面５は、平坦面または若干の湾曲面に形成される。
【００４７】
両側の縁木２０の範囲の粘土層４の表面が乾燥しない前に、間伐材、建築廃材、根株、枝条、木皮等の木材を切削機械でチップとしたウッドチップと、そのウッドチップ相互間を接合するバインダとを主材料として混練して成形したウッドチップブロック１２を敷き、ローラ等で転圧したり、直接または間接的に金槌、木鎚で叩いて、できるだけ舗装面１３を平坦または若干の湾曲面に形成する。または、ローラ掛けをして全体を均一にし、その後、全体のバランスを直接または間接的に金槌、木鎚で叩いて、舗装面１３を平坦または若干の湾曲面に修正してもよい。
【００４８】
このように、本実施の形態１及び実施の形態２のウッドチップ舗装は、舗装領域の少なくとも幅方向を画定または必要に応じてその直角方向も画定し、路床１に対して所定の高さを有する路盤側に固定された縁部材としての縁木２０と、間伐材、建築廃材、根株、枝条、木皮等のウッドチップとそのウッドチップ相互間を接合する公知の合成樹脂または蛋白質、生分解合成樹脂等のバインダとを主材料として混練して所定のサイズに成形してなるウッドチップブロック１２によって粘土表面５を舗装するウッドチップ舗装において、路床１側は、粘土及びすさを混練して、所定の厚みの粘土層４に展延し、当該所定の厚みの粘土層４の上面に粘土表面５を形成したものである。
【００４９】
したがって、ウッドチップブロック１２を敷設する粘土表面５は、粘土及びすさを混練して、所定の厚みの粘土層４に展延したものであるから、雨水がその表面以下に浸透し難く、雨水がその表面を流れるから、ウッドチップが雨水中に没することがなくなり、ウッドチップが水分を吸収して膨張する確率が低くなる。逆に、乾燥する天候が続いても、粘土及びすさを混練してなる粘土層４の表面の湿度によって、湿度が適当に保持されるから、乾燥状態にならず、ウッドチップブロックにクラック、反り等が生じない。
【００５０】
発明者等によると、ウッドチップブロック１２を敷設する粘土表面５は、粘土及びすさを混練して、所定の厚みの粘土層４に展延したものであるから、表面の粘土表面５が堅固に硬化しても、７〜８ｃｍの厚みであると、内部は３ヶ月以上硬化しないことが確認され、その間、ウッドチップブロック１２以外の粘土層４でも緩衝作用を呈することが確認されている。
【００５１】
更に、クラッシャーラン２の路盤面３を粘土及びすさを混練して所定の厚みの粘土層４を形成しているから、粘土及びすさを混練してなる粘土層４が堅固な結合状態となり、その上面にウッドチップブロック１２を敷設するものであるから、ウッドチップブロック１２を通過した通常の雨水は、粘土及びすさを混練してなる粘土層４の表面を流れ、粘土表面５に水がたまらないので、舗装面１３にクラック、反り等が生じず、見栄えがよくなる。仮に、急激に多量の雨が降っても、ウッドチップブロック１２の隙間から浸入した雨水の流れによって、粘土表面５が堅固に結合しているから侵食されない。また、ウッドチップ舗装の施工の際には、粘土及びすさがウッドチップブロック１２のチップ相互間の隙間に侵入して硬化するから、粘土表面５からウッドチップブロック１２が容易に剥離され難くなり、かつ、面方向の移動を拘束するから、安定した施工状態が維持される。そして、ウッドチップブロック１２が朽ちた場合には、腐敗が進行しているウッドチップを剥離した粘土及びすさと共に混練し、それを路床１側の粘土層４として形成することができる。更に、ウッドチップブロック１２を適当に剥離し、農地のようにトラクター等で粘土及びすさと共に水を散布しながら混練し、整地すれば、粘土層４として再使用することができる。
【００５２】
よって、ウッドチップの腐敗により舗装材を自然に戻すことを前提とし、クラック、反り等のない見栄えのよい舗装面１３を形成することができる。
【００５３】
図３は本発明の実施の形態３のウッドチップ舗装の全体構成要部断面図で、図４は本発明の実施の形態３のウッドチップ舗装で使用するウッドチップブロックの要部斜視図である。なお、図中の上記実施の形態１と同一符号または同一記号は、同一または相当する構成部分を示すものであるから、重複する説明を省略し、相違点のみ説明する。
【００５４】
この実施の形態３では、上記実施の形態１及び実施の形態２のウッドチップ舗装で使用するウッドチップブロック１２は、略直方体の平板ブロックを前提として説明したが、上記実施の形態のウッドチップブロック１２は、ウッドチップ間の隙間をぬぐって雨水が流れるが、更に、雨水の水はけをよくする形態として、下面側に水はけ用の溝を形成するのが好ましい。
【００５５】
図４に示すように、本実施の形態のウッドチップブロック１２は、上面１２ａが正方形で、その厚み１２ｃ方向に１／２〜２／３の高さまでを上面１２ａと同一形状としている。また、下面１２ｂは上面１２ａよりも面積が小さい正方形となっており、下面１２ｂから１／２〜１／３の高さまでを徐々に広く変化する面積となっている。即ち、上面１２ａが正方形で、その厚み１２ｃの立体を想定すると下辺の角を３０〜６０度程度の角度で面取１２ｄとしている。これによって、ウッドチップブロック１２相互間には、面取１２ｄによって排水溝４０が形成されるようになっている。
【００５６】
路床１の両側に配置される縁木３０は、断面逆Ｌ字状を呈する３〜５ｍ程度の長尺物である。断面逆Ｌ字状の内角は、粘土層４の粘土表面５よりも上部位置になり、粘土表面５の上面に空間を形成し、それをウッドチップブロック１２との間の排水溝４０としている。
【００５７】
また、縁木３０には、内側から外側に貫通する貫通孔３１が設けられている。この貫通孔３１は、路床１側に固定された縁部材としての縁木３０に形成した排水溝４０の雨水を排水する排水手段であるから、貫通孔３１に限定されることなく、縁木３０相互間の接続箇所に隙間を形成して、それを排水溝４０の雨水を排水する排水手段としてもよい。
【００５８】
なお、路床１側に固定された縁部材としての縁木３０は、断面逆Ｌ字状を呈する長尺物であるが、結果的に、ウッドチップブロック１２のみでも排水溝４０が形成されるから、断面逆Ｌ字状を呈することを、必ずしも必要とするものではなく、断面長方形形状であってもよい。また、縁部材としては、縁木３０を使用しているが、木材に限定されるものではなく、コンクリート、石材、レンガ、コンクリートブロック、金属、陶器、磁器等が使用できる。
【００５９】
次に、本発明の実施の形態３のウッドチップ舗装の施工について説明する。
【００６０】
まず、道路の舗装を施工する路床１を形成し、その路床１の両側に長尺の縁木３０を所定の舗装幅の範囲として固定金具１１で路床１に固定する。このとき、縁木３０の上面の水平を正確に出しておく。路床１の両側の縁木３０間に、粘土として荒壁に使用する壁土及び５〜１０ｃｍの長さに切断した稲わらからなる稲わらすさを混練して、それを１０日間程度以上寝させたものを再度混練し、所定の厚み、即ち、本実施の形態では７〜８ｃｍ程度に展延させた粘土層４を形成する。粘土層４の粘土表面５は、平坦面または若干の湾曲面に形成される。
【００６１】
両側の縁木３０の範囲の粘土層の表面が乾燥しない前に、間伐材、建築廃材、根株、枝条、木皮等の木材を切削機械でチップとしたウッドチップと、そのウッドチップ相互間を接合するバインダとを主材料として混練して成形したウッドチップブロック１２を敷き、ローラ等で転圧したり、直接的または間接的に金槌、木鎚で叩いて、できるだけ舗装面１３を平坦または若干の湾曲面に形成する。または、ローラ掛けをして全体を均一にし、その後、舗装面１３全体を平坦または若干の湾曲面に修正してもよい。
【００６２】
このとき、本実施の形態のウッドチップブロック１２は、下面１２ｂは上面１２ａよりも面積が小さくなっているから、直接的または間接的に金槌、木鎚で叩いても下面１２ｂの面積が狭いから、単位面積当たりの押圧力が大きくなり、下面１２ｂが上面１２ａと同一のものと比較すると、敏感に設置状態が変化する。
【００６３】
このように、本実施の形態のウッドチップブロック１２は、下面１２ｂは上面１２ａよりも面積が小さくなっているから、施工が容易になると共に、施工状態では、ウッドチップブロック１２の下の粘土及びすさを混練して所定の厚みの粘土層４の粘土表面５との間に排水溝４０が形成され、しかも、その排水溝４０は格子状となるから、効率のよい雨水の排水路が形成される。
【００６４】
この際、縁木３０に貫通孔２２からなる雨水を排水する排水手段を設けてあると、排水溝４０の雨水を容易に排水することができる。勿論、排水手段は、縁木３０に形成することなく、所定の厚みの粘土層４に設け、雨水を粘土層４の粘土表面５から直接路床１側または排水路に流すことができる。この粘土層４に貫通孔５０を設ける場合には、１０〜３０ｍｍ程度の杭等で直接穴をあけてもよいが、竹筒またはビニル管を埋設使用するのが好適である。
【００６５】
図５は本発明の実施の形態５のウッドチップ舗装の全体構成要部断面図である。なお、図中の上記実施の形態１と同一符号または同一記号は、同一または相当する構成部分を示すものであるから、重複する説明を省略し、相違点のみ説明する。
【００６６】
この実施の形態の排水手段は、所定の厚みの粘土層４に貫通孔５０を設け、雨水を粘土層４の粘土表面５から直接路床１側または排水路に流すものである。具体的には、粘土層４に１０〜３０ｍｍ程度の直径の杭等で貫通孔５０を設けたものである。
【００６７】
したがって、粘土層４の粘土表面５にある雨水は、貫通孔５０を通過して下方に流れることができ、しかも、乾燥状態が続いても、粘土層４及び路床１側からウッドチップブロック１２に適度な湿度を供給することができる。
【００６８】
更に、上記実施の形態では、粘土層４に１０〜３０ｍｍ程度の直径の杭等で貫通孔５０を設けたものであるが、粘土層４の表面の粘土表面５に雨水を逃がす断面略Ｕ字状の上方に開口した開口溝を形成してもよい。この開口溝は、ウッドチップブロック１２の弾性限界から、１〜５ｃｍの深さで、その幅も１〜５ｃｍ程度が好適である。この粘土層４の表面の粘土表面５に形成した開口溝は、縁木３０または縁木３０の内側の粘土層４の粘土表面５に当該雨水を排出する排水となる。
【００６９】
このように、上記実施の形態のウッドチップ舗装では、路盤面３の舗装領域の少なくとも幅方向及び／またはその直角方向を画定し、所定の高さを有する路床１側に固定された縁部材としての縁木１０，２０,３０と、木材をチップとしたウッドチップと前記ウッドチップ相互間を接合するバインダとを主材料として混練して所定のサイズに成形してなるウッドチップブロック１２によって舗装するウッドチップ舗装において、前記ウッドチップブロック１２は、粘土及びすさを混練して、所定の厚みの粘土層４に展延し、当該所定の厚みの粘土層４の上面に敷設したものである。
【００７０】
したがって、ウッドチップブロック１２を敷設する状面である粘土表面５は、粘土及びすさを混練して、所定の厚みの層に展延し、当該所定の厚みの粘土層４で形成したものであるから、その粘性によって雨水が浸透し難く、かつ、雨水によって粘土が流出することなく、雨水がその表面を流れるから、ウッドチップブロック１２が雨水中に没することがなくなり、ウッドチップブロック１２が水分を吸収して膨張する割合が低くなる。逆に、乾燥する天候が続いても、粘土及びすさを混練してなる粘土層４の表面の湿度によって、湿度が適当に保持されるから、乾燥状態にならず、ウッドチップブロック１２にクラック、反り等が生じない。
【００７１】
更に、路盤側を粘土及びすさを混練して所定の厚みの面を形成しているから、粘土及びすさを混練してなる粘土層４が堅固な結合状態となり、その上面の粘土表面５にウッドチップブロック１２を敷設するものであるから、ウッドチップブロック１２を通過した通常の雨水は、粘土及びすさを混練してなる粘土層４の表面を流れ、粘土表面５に水がたまらないので、粘土表面５に敷設したウッドチップブロック１２の膨張・収縮によるクラック、反り等が生じず、見栄えがよくなる。仮に、急激に多量の雨が降っても、ウッドチップブロック１２の隙間から浸入した雨水の流れによって、粘土表面５が高い粘性により堅固に結合しているから粘土層４が侵食されない。また、ウッドチップ舗装の施工の際には、粘土表面５が硬化する前に施工すれば、粘土表面５の粘土及びすさがウッドチップブロック１２のチップ相互間の隙間に侵入して硬化するから、粘土表面５からウッドチップブロック１２が容易に剥離され難くなり、かつ、面方向の移動を拘束するから、安定した施工状態が維持される。そして、ウッドチップブロック１２が朽ちた場合には、腐敗が進行しているウッドチップを剥離した粘土及びすさと共に混練し、それを路床１側の粘土層４として形成することができる。更に、ウッドチップブロック１２を適当に剥離し、トラクター等で粘土及びすさと共に水を散布しながら混練して、粘土及びすさを再使用することができる。このとき、ウッドチップの混入は殆ど影響がない。
【００７２】
よって、ウッドチップの腐敗により舗装材を自然に戻すことを前提とし、クラック、反り等のない見栄えのよい舗装面を形成することができる。
【産業上の利用可能性】
【００７３】
上記実施の形態では、舗装領域の少なくとも幅方向を画定し、路床１側に固定された縁部材としての縁木１０，２０,３０と、木材をチップとしたウッドチップと前記ウッドチップ相互間を接合するバインダとを主材料として混練して所定のサイズに成形してなるウッドチップブロック１２によって舗装するウッドチップ舗装について説明したが、ウッドチップブロック１２を薄くして、その上に木材をチップとしたウッドチップと前記ウッドチップ相互間を接合するバインダとを主材料として混練してなる単一または複数の層を形成することもできる。
【００７４】
特に、上記実施の形態においても、ウッドチップ舗装が摩耗すると、その補修方法として、ウッドチップブロック１２の上にウッドチップとバインダとを主材料として混練してなる層を形成する場合、または、ウッドチップブロック１２を剥がして、再度、所定の厚みの粘土層４を形成して、そこにウッドチップブロック１２を敷く場合がある。
【００７５】
したがって、新規に施工する場合においても、ウッドチップブロック１２の上にウッドチップとバインダとを主材料として混練してなる層を形成してもよい。
【図面の簡単な説明】
【００７６】
【図１】図１は本発明の実施の形態１のウッドチップ舗装の全体構成要部断面図（ａ）、要部平面図（ｂ）である。
【図２】図２は本発明の実施の形態２のウッドチップ舗装の全体構成要部断面図（ａ）、要部平面図（ｂ）である。
【図３】図３は本発明の実施の形態３のウッドチップ舗装の全体構成要部断面図である。
【図４】図４は本発明の実施の形態３のウッドチップ舗装で使用するウッドチップブロックの要部斜視図である。
【図５】図５は本発明の実施の形態４のウッドチップ舗装の全体構成要部断面図である。
【符号の説明】
【００７７】
４        粘土(ねばつち)層
５        粘土表面
１０,２０,３０      縁木（縁部材）
１２      ウッドチップブロック
１３      舗装面
３１      貫通孔（排水手段）
４０      排水溝
５０      貫通孔
【図１】
2005207117.tif 000003
【図２】
2005207117.tif 000004
【図３】
2005207117.tif 000005
【図４】
2005207117.tif 000006
【図５】
2005207117.tif 000007